(57)【要約】【課題】複数のチャンネルが同時録画可能な録画装置において、効率的に省電力を図る。【解決手段】ユーザが事前に設定した情報に基づいて、特定の時間帯において録画動作を行うべきチャンネルを選定するチャンネル選定部と、特定の時間帯が到来するより前に、チャンネル選定部により選定されたチャンネルとチューナとの割り当てを決定する割り当て決定部と、特定の時間帯が到来したら、割り当て決定部により決定された割り当てに基づいて録画動作を行うべきチャンネルをチューナに割り当て、割り当てたチューナにより録画動作を行う録画動作指示部と、割り当て決定部によりチャンネルが割り当てられたチューナに電源供給し、割り当て決定部によりチャンネルが割り当てられなかったチューナに対して電源供給を停止する電源供給制御部とを設けた。【選択図】図２
2014093687.tif 000002
【特許請求の範囲】
【請求項１】
複数のチャンネルが受信可能な受信部と制御部とを備える録画装置において、
前記受信部は受信可能な前記チャンネル数と等しいかこれより少ない数のチューナを備え、
前記制御部は、
ユーザが事前に設定した情報に基づいて、特定の時間帯において録画動作を行うべきチャンネルを選定するチャンネル選定部と、
前記特定の時間帯が到来するより前に、前記チャンネル選定部により選定されたチャンネルと前記チューナとの割り当てを決定する割り当て決定部と、
前記特定の時間帯が到来したら、前記割り当て決定部により決定された割り当てに基づいて録画動作を行うべきチャンネルを前記チューナに割り当て、割り当てた前記チューナにより録画動作を行う録画動作指示部と、
前記割り当て決定部によりチャンネルが割り当てられた前記チューナに電源供給し、前記割り当て決定部によりチャンネルが割り当てられなかった前記チューナに対して電源供給を停止する電源供給制御部と
を備えることを特徴とする録画装置。
【請求項２】
前記受信部は前記チューナと少なくとも同数のトランスコーダを備え、
前記電源供給制御部は、前記割り当て決定部によりチャンネルが割り当てられたチューナに対応するトランスコーダに対して電源供給し、前記割り当て決定部によりチャンネルが割り当てられなかったチューナに対応するトランスコーダに対して電源供給を停止する
ことを特徴とする請求項１記載の録画装置。
【請求項３】
前記チャンネル選定部により選定された前記チャンネルを前記特定の時間帯と関連づけて表示するための選択画面を表示するためのデータを生成して出力する選択画面表示制御部と、
前記選択画面表示制御部により出力された前記選択画面における前記チャンネル選定の修正入力を受け入れる選択画面入力部と
を備え、
前記割り当て決定部は、前記選択画面入力部により受け入れられた前記チャンネル選定の修正入力に基づいて、前記チャンネル選定部により選定されたチャンネルと前記チューナとの割り当てを修正する
ことを特徴とする請求項１または２記載の録画装置。
【請求項４】
前記割り当て決定部は、時間帯単位で、前記チャンネルと前記チューナの割り当てを行うことを特徴とする請求項１〜３のいずれかに記載の録画装置。
【請求項５】
複数のチャンネルが受信可能で、受信可能な前記チャンネル数と等しいかこれより少ない数のチューナを備える録画装置における録画方法であって、
ユーザが事前に設定した情報に基づいて、特定の時間帯において録画動作を行うべきチャンネルを選定するステップと、
前記特定の時間帯が到来するより前に、選定されたチャンネルと前記チューナとの割り当てを決定するステップと、
前記特定の時間帯が到来したら、決定された割り当てに基づいて録画動作を行うべきチャンネルを前記チューナに割り当て、割り当てた前記チューナにより録画動作を行うステップと、
チャンネルが割り当てられた前記チューナに電源供給し、チャンネルが割り当てられなかった前記チューナに対して電源供給を停止するステップと
を備えることを特徴とする録画方法。
【請求項６】
複数のチャンネルが受信可能で、受信可能な前記チャンネル数と等しいかこれより少ない数のチューナを備えるコンピュータに適用される録画プログラムであって、
この録画プログラムは、前記コンピュータにより実行されると、
ユーザが事前に設定した情報に基づいて、特定の時間帯において録画動作を行うべきチャンネルを選定するステップと、
前記特定の時間帯が到来するより前に、選定されたチャンネルと前記チューナとの割り当てを決定するステップと、
前記特定の時間帯が到来したら、決定された割り当てに基づいて録画動作を行うべきチャンネルを前記チューナに割り当て、割り当てた前記チューナにより録画動作を行うステップと、
チャンネルが割り当てられた前記チューナに電源供給し、チャンネルが割り当てられなかった前記チューナに対して電源供給を停止するステップと
を実行することを特徴とする録画プログラム。
【発明の詳細な説明】
【技術分野】
【０００１】
本発明は、例えば地上デジタルテレビ放送波を受信して番組コンテンツ等を録画することが可能な録画装置、録画方法及び録画プログラムに関する。
【背景技術】
【０００２】
近年、地上デジタルテレビ放送波を複数のチューナで受信して同時に複数のチャンネルを録画することの可能な録画装置が実現されている。さらに、録画装置が設置された地域において受信可能な地上デジタルテレビ放送波等のチャンネル総数に近い数のチューナを装備し、受信可能なチャンネルの大半をこのチューナにより自動的に録画する録画装置も実現されている（非特許文献１参照）。通常、１つのチューナは１つのチャンネルのみを選択して受信可能であり、以下、特段の注記を行わない限り、１つのチューナは１つのチャンネルのみを選択して受信できるものとする。
【０００３】
このような、複数のチューナを備える録画装置において、ユーザの設定により録画すべき番組を予約録画し、あるいは、放送と同時に録画する場合、時間帯によっては録画装置が備える全てのチューナを用いて地上デジタルテレビ放送波等のチャンネルを受信するとは限らない。この場合、録画装置内に特定のチャンネルを受信していないチューナが存在することがある。しかし、特定のチャンネルを受信していない状態でも、そのチューナには電源が供給されているので、省電力の観点から何かしらの対策を施すことが好ましい。特に、近年の傾向として、１つの録画装置に装備されるチューナの数は増加傾向にあるので、録画装置内に特定のチャンネルを受信していないチューナが存在する確率が高まると考えられる。従って、録画装置に上述の対策を施すメリットが高まっている。
【０００４】
かかる観点から、地上デジタルテレビ放送波を受信する際に、受信するチャンネルの切替動作の迅速性を高めるために複数のチューナを設けた録画装置において、視聴に用いられていないチューナの電源供給を停止する技術が提案されている（特許文献１参照）。
【先行技術文献】
【特許文献】
【０００５】
【特許文献１】特開２００８−２１９１２１号公報
【非特許文献】
【０００６】
【非特許文献１】「ゼン録 ８チャンネルまるっと全録機能搭載 地デジ対応 ＨＤＤレコーダー：DVR-Z8｜BUFFALO バッファロー」［平成24年11月5日検索］、インターネット<URL:http://buffalo.jp/product/multimedia/chideji/tv-recorder/dvr-z8/>
【発明の概要】
【発明が解決しようとする課題】
【０００７】
しかしながら、上述した従来の技術において、複数のチューナは複数のチャンネルを同時録画するために設けられたものではなく、従って、上述した従来技術においては、複数のチューナが同時に動作して異なるチャンネルを受信して録画することは念頭に置かれていない。従って、依然として、複数のチャンネルを同時録画するために複数のチューナを装備した録画装置における省電力対策という課題は残されたままであった。
【０００８】
本発明は上述した課題に鑑みてなされたものであり、複数のチャンネルが同時録画可能な録画装置において、効率的に省電力を図ることの可能な録画装置、録画方法及び録画プログラムを提供することを目的の一つとしている。
【課題を解決するための手段】
【０００９】
本発明は、複数のチャンネルが受信可能な受信部と制御部とを備える録画装置に適用される。そして、受信部に、受信可能なチャンネル数と等しいかこれより少ない数のチューナを設け、制御部に、ユーザが事前に設定した情報に基づいて、特定の時間帯において録画動作を行うべきチャンネルを選定するチャンネル選定部と、特定の時間帯が到来するより前に、チャンネル選定部により選定されたチャンネルとチューナとの割り当てを決定する割り当て決定部と、特定の時間帯が到来したら、割り当て決定部により決定された割り当てに基づいて録画動作を行うべきチャンネルをチューナに割り当て、割り当てたチューナにより録画動作を行う録画動作指示部と、割り当て決定部によりチャンネルが割り当てられたチューナに電源供給し、割り当て決定部によりチャンネルが割り当てられなかったチューナに対して電源供給を停止する電源供給制御部とを設けることにより、上述した課題の少なくとも一つを解決している。
【００１０】
電源供給制御部は、割り当て決定部によりチャンネルが割り当てられたチューナに電源供給し、割り当て決定部によりチャンネルが割り当てられなかったチューナに対して電源供給を停止している。これにより、チャンネルが割り当てられなかった、すなわち、録画動作を行う必要のないチューナに対して電源供給を停止することができる。
【００１１】
ここで、受信部がチューナと少なくとも同数のトランスコーダを備えている場合、電源供給制御部が、割り当て決定部によりチャンネルが割り当てられたチューナに対応するトランスコーダに対して電源供給し、割り当て決定部によりチャンネルが割り当てられなかったチューナに対応するトランスコーダに対して電源供給を停止することが好ましい。
【００１２】
また、録画装置に、チャンネル選定部により選定されたチャンネルを特定の時間帯と関連づけて表示するための選択画面を表示するためのデータを生成して出力する選択画面表示制御部と、選択画面表示制御部により出力された選択画面におけるチャンネル選定の修正入力を受け入れる選択画面入力部とを設け、割り当て決定部は、選択画面入力部により受け入れられたチャンネル選定の修正入力に基づいて、チャンネル選定部により選定されたチャンネルとチューナとの割り当てを修正することが好ましい。
【００１３】
さらに、割り当て決定部は、時間帯単位で、チャンネルとチューナの割り当てを行うことが好ましい。
【００１４】
また、本発明は、複数のチャンネルが受信可能で、受信可能なチャンネル数と等しいかこれより少ない数のチューナを備える録画装置における録画方法に適用される。そして、ユーザが事前に設定した情報に基づいて、特定の時間帯において録画動作を行うべきチャンネルを選定するステップと、特定の時間帯が到来するより前に、選定されたチャンネルとチューナとの割り当てを決定するステップと、特定の時間帯が到来したら、決定された割り当てに基づいて録画動作を行うべきチャンネルをチューナに割り当て、割り当てたチューナにより録画動作を行うステップと、チャンネルが割り当てられたチューナに電源供給し、チャンネルが割り当てられなかったチューナに対して電源供給を停止するステップとを設けることにより、上述した課題の少なくとも一つを解決している。
【００１５】
さらに、本発明は、複数のチャンネルが受信可能で、受信可能なチャンネル数と等しいかこれより少ない数のチューナを備えるコンピュータに適用される録画プログラムに適用される。そして、この録画プログラムが、コンピュータにより実行されると、ユーザが事前に設定した情報に基づいて、特定の時間帯において録画動作を行うべきチャンネルを選定するステップと、特定の時間帯が到来するより前に、選定されたチャンネルとチューナとの割り当てを決定するステップと、特定の時間帯が到来したら、決定された割り当てに基づいて録画動作を行うべきチャンネルをチューナに割り当て、割り当てたチューナにより録画動作を行うステップと、チャンネルが割り当てられたチューナに電源供給し、チャンネルが割り当てられなかったチューナに対して電源供給を停止するステップとを実行することにより、上述した課題の少なくとも一つを解決している。
【発明の効果】
【００１６】
本発明によれば、割り当て決定部によりチャンネルが割り当てられたチューナに電源供給し、割り当て決定部によりチャンネルが割り当てられなかったチューナに対して電源供給を停止する電源供給制御部を設けたので、チャンネルが割り当てられなかった、すなわち、録画動作を行う必要のないチューナに対して電源供給を停止することができる。これにより、複数のチャンネルが同時録画可能な録画装置において、効率的に省電力を図ることが可能になる。
【図面の簡単な説明】
【００１７】
【図１】本発明の一実施形態である録画装置の概略構成を示すブロック図である。
【図２】一実施形態の録画装置の機能構成を示す機能ブロック図である。
【図３】一実施形態の録画装置におけるチャンネル選定手法の一例を示す図である。
【図４】一実施形態の録画装置によるチャンネルとチューナとの割り当て関係の一例を示す図である。
【図５】一実施形態の録画装置から出力される選択画面の一例を示す図である。
【図６】一実施形態の録画装置における録画予約テーブルの一例を示す図である。
【図７】一実施形態の録画装置における割り当てテーブルの一例を示す図である。
【図８】一実施形態の録画装置の動作の一例を説明するためのフローチャートである。
【図９】一実施形態の録画装置の動作の他の例を説明するためのフローチャートである。
【発明を実施するための形態】
【００１８】
（一実施形態）
以下、図面を参照して、本発明の録画装置の実施形態について説明する。図１は、本発明の一実施形態である録画装置の概略構成を示すブロック図である。
【００１９】
図１において、本実施形態の録画装置Ｒは、アンテナ１と、チューナ２と、ＴＳ（Transport Stream）処理部３と、信号処理部４と、デコード処理部５と、出力処理部６と、トランスコーダ７と、ＨＤＤ（Hard Disk Drive）８と、制御部１０と、電源回路１５と、操作部１６と、カードＩ／Ｆ（インタフェース：Interface）１７と、カードホルダ１８と、受光部１９と、通信Ｉ／Ｆ２０と、ＨＤＭＩ（High-Definition Multimedia Interface）Ｉ／Ｆ２１とを備える。制御部１０は、ＣＰＵ（Central Processing Unit）１１と、ＲＯＭ（Read Only Memory）１２と、ＲＡＭ（Random Access Memory）１３と、不揮発性メモリ１４とを備えている。
【００２０】
アンテナ１は、放送形式として地上デジタルテレビ放送波、ＢＳデジタルテレビ放送波及びＣＳデジタルテレビ放送波等の少なくとも一形式の放送波が受信可能に構成されている。チューナ２は、制御部１０からの制御信号により所定のチャンネルの放送信号を地上波デジタル放送、ＢＳデジタル放送及びＣＳデジタル放送の３種類の中から選局し、この選局された放送信号を復調（地上デジタルテレビ放送波の場合にはＯＦＤＭ（Orthogonal Frequency Division Multiplexing）復調、ＢＳデジタルテレビ放送波またはＣＳデジタルテレビ放送波の場合にはＰＳＫ（Phase Shift Keying）復調し、所定のチャンネルの受信信号を含んだＴＳ（Transport Stream）を生成してＴＳ処理部３に出力する。本実施形態の録画装置Ｒには、この録画装置Ｒが設置された地域において受信可能な地上デジタルテレビ放送波等のチャンネル総数に近い数であるｎ個のチューナ１  ２ａ、チューナ２  ２ｂ、…チューナｎ  ２ｎ（ここにｎは自然数）が設けられている。以下の説明において、個々のチューナを区別しない場合は総称でチューナ２として表示する。
【００２１】
ＴＳ処理部３は、チューナ２から出力されるＴＳをデジタルの映像信号、音声信号、データ信号に復号化し、信号処理部４に出力する。信号処理部４は、ＴＳ処理部３から出力されたデジタルの映像信号、音声信号、データ信号に対して、所定のデジタル信号処理を施す。デジタル信号処理が施された映像信号及び音声信号は、データ信号、映像信号及び音声信号に分離される。この分離された映像信号及び音声信号はデコード処理部５に、データ信号は制御部１０に、それぞれ出力される。また、ＴＳ処理部４から出力されたデジタルの映像信号、音声信号、データ信号は、録画用の信号として制御部１０を介してＨＤＤ８に出力される。
【００２２】
デコード処理部５は、信号処理部４から出力されるデジタルの映像信号及び音声信号のデコード処理を行う。また、デコード処理部５は、制御部１０を介してＨＤＤ８から出力された録画済の映像信号及び音声信号のデコード処理も行う。デコードされた映像信号は出力処理部６に出力される。出力処理部６は、デコード処理部５から出力された信号を、映像出力部１０１及び音声出力部１０２で表示・再生可能なフォーマットの映像信号及び音声信号に変換する。映像出力部１０１は、例えばテレビジョン等のディスプレイである。また、音声出力部１０２は、例えばスピーカ等である。
【００２３】
ＴＳ処理部３から制御部１０を介して供給された録画用のデジタルの映像信号、音声信号、データ信号は、制御部１０の指示により、ＨＤＤ８の前段に設けられたトランスコーダ７を経由して、あるいは直接ＨＤＤ８に供給される。トランスコーダ７は、デジタルの映像信号、音声信号についてビットレート変換動作を中心としたエンコード動作を行う。本実施形態の録画装置Ｒには、チューナ２と同数のトランスコーダ１  ７ａ、トランスコーダ２  ７ｂ、…トランスコーダｎ  ７ｎ（ここにｎは自然数）が設けられている。以下の説明において、個々のトランスコーダを区別しない場合は総称でトランスコーダ７として表示する。なお、録画動作を行うためには、動作しているチューナ２ａ、２ｂ、…２ｎから出力される、所定のチャンネルの受信信号を含んだＴＳのトランスコード処理が必要であるので、動作しているチューナ２ａ、２ｂ、…２ｎと同数のトランスコーダ７ａ、７ｂ、…７ｎがトランスコード処理を行う必要がある。
【００２４】
ＨＤＤ８は、制御部１０による制御に基づいて、エンコードされたデジタルの映像信号、音声信号及びデータ信号を、例えば番組単位で格納する。また、ＨＤＤ８は、制御部１０による制御に基づいて、格納されたデジタルの映像信号、音声信号、データ信号を、例えば番組単位で読み出して、制御部１０に出力する。
【００２５】
制御部１０は本発明の録画装置Ｒの全体制御を行う。具体的には、制御部１０は、ＲＯＭ１２に予め記録されたシステム制御プログラム及び各種処理プログラムをＣＰＵ１１内で実行し、これらプログラムに従って録画装置Ｒ内の各部の動作を制御する。制御部１０による録画装置Ｒの制御の詳細については、図２等を参照して後述する。
【００２６】
ＲＯＭ１２には、ＣＰＵ１１により実行されるシステム制御プログラム及び各種処理プログラムが格納されている。これらシステム制御プログラム及び各種処理プログラムは、録画装置Ｒの起動時等の定められたタイミングにおいてＲＡＭ１３に展開されて、ＣＰＵ１１で実行される。また、ＲＡＭ１３は、録画装置Ｒの動作中における各種データを一時的に保管するワーキングメモリとしても用いられる。不揮発性メモリ１４には、各部の動作制御に必要な各種の設定情報及び制御情報等が格納される。
【００２７】
電源回路１５は外部の商用電源１０３に接続され、この商用電源１０３から供給された電源電力を録画装置Ｒ内の各部に供給する。操作部１６は、例えばユーザが操作可能な位置である録画装置Ｒの筐体表面部に設けられたスイッチ等からなり、ユーザによる操作に応じた操作信号を制御部１０に出力する。
【００２８】
カードホルダ１８は、カードＩ／Ｆ１７を介して制御部１０に接続されている。放送受信契約の契約情報等を記録する記録媒体であるＣＡＳカード１０５は、このカードホルダ１８に装着されている。カードホルダ１８に装着されたＣＡＳカード１０５と制御部１０は、カードＩ／Ｆ１７を介して情報の伝達を行うことができる。ＣＡＳカード１０５は通常複数のチャンネルに対応する契約情報が記録されているので、本実施形態の録画装置Ｒでは、チューナ２の総数を同時に受信可能な数のＣＡＳカード１  １０５ａ、ＣＡＳカード２  １０５ｂ、…ＣＡＳカードｍ  １０５ｍ（ここにｍは自然数、ｍ＜ｎ）が設けられている。以下の説明において、個々のＣＡＳカードを区別しない場合は総称でＣＡＳカード１０５として表示する。
【００２９】
受光部１９は、例えば赤外線を受信することが可能であり、ユーザによる操作に応じてリモートコントローラ１０４が出力する赤外線制御信号を受信し、この制御信号に応じた操作信号を制御部１０に入力する。通信Ｉ／Ｆ２０は、図略のＬＡＮ端子を介してホームネットワークや外部ネットワークに接続され、この通信Ｉ／Ｆ２０を介して制御部１０とホームネットワーク、外部ネットワークとの間での通信が可能になっている。ＨＤＭＩ  Ｉ／Ｆ２１は図略のＨＤＭＩ端子を介して外部のＨＤＭＩ機器が接続され、このＨＤＭＩ  Ｉ／Ｆ２１を介して制御部１０と外部ＨＤＭＩ機器との間でＨＤＭＩ信号の送受信が可能になっている。
【００３０】
（一実施形態の機能構成）
次に、図２は、本実施形態の録画装置Ｒの機能構成を示す機能ブロック図である。図２に示すように、本実施形態の録画装置Ｒは、受信部５１、記憶部５２及び制御部１０を備える。
【００３１】
受信部５１は、アンテナ１で受信した放送形式として地上デジタルテレビ放送波、ＢＳデジタルテレビ放送波及びＣＳデジタルテレビ放送波等の少なくとも一形式の放送波を受信し、各種信号処理を施して出力部５３に映像信号、音声信号及びデータ信号を出力する。出力された映像信号、音声信号及びデータ信号は、ディスプレイ１０１、スピーカ１０２等の出力部５３に送出されて表示・再生されるとともに、録画用の信号として記憶部５２に送出される。受信部５１は、チューナ２及びトランスコーダ７を備える。チューナ２及びトランスコーダ７の機能については既に説明したのでここでは説明を省略する。
【００３２】
記憶部５２は、制御部１０の指令に基づいて、受信部５１から出力される映像信号、音声信号及びデータ信号を、例えば番組単位で格納し、また、格納された映像信号、音声信号及びデータ信号を受信部５１に番組単位で出力する。また、記憶部５２は、後述する割り当て決定部５５により決定される、チャンネル選定部５４により選定されたチャンネルとチューナ２ａ、２ｂ、…２ｎとの割り当て結果や、入力部６０から出力されるチャンネル選定の修正入力が一時的に格納される。
【００３３】
制御部１０は、チャンネル選定部５４、割り当て決定部５５、録画動作指示部５６、電源供給制御部５７、選択画面表示制御部５８及び選択画面入力部５９を備える。
【００３４】
チャンネル選定部５４は、ユーザが事前に設定した情報に基づいて、特定の時間帯において録画動作を行うべきチャンネルを選定する。ユーザによる事前設定の手順は任意であるが、一例として、地上デジタルテレビ放送波等により搬送されてくるＥＰＧ（Electronic Program Guide）情報に基づいて、録画装置Ｒの制御部１０が番組予約画面表示用データを生成して出力部５３に出力し、ユーザがこの番組予約画面を見ながら入力部６０を用いて録画予約情報を入力する手法が好適に挙げられる。あるいは、ユーザが事前に出演者、ジャンル、キーワード等を録画装置Ｒの制御部１０、記憶部５２等に設定しておき、制御部１０がＥＰＧ情報を検索して、ユーザが事前に設定した出演者等の単語、フレーズが当該番組のＥＰＧ情報内に存在する場合は、その番組を予約する録画予約情報を生成する手法も好適に挙げられる。ユーザが事前に設定した情報である録画予約情報は、制御部１０により当該番組の時間帯とその番組のチャンネルとの組として記憶部５２内の録画予約テーブル６１に一時的に格納される。
【００３５】
割り当て決定部５５は、特定の時間帯が到来するより前に、チャンネル選定部５４により選定されたチャンネルとチューナ２ａ、２ｂ、…２ｎ、さらにはトランスコーダ７ａ、７ｂ、…７ｎとの割り当てを決定する。割り当て決定部５５による割り当て結果は、時間帯毎にチューナ１〜ｎとそのチューナ１〜ｎに割り当てられたチャンネルとの組として記憶部５２内の割り当てテーブル６２内に一時的に格納される。チャンネル選定部５４及び割り当て決定部５５によるチャンネル選定及びチャンネルとチューナ２ａ、２ｂ、…２ｎ及びトランスコーダ７ａ、７ｂ、…７ｎとの割り当ての詳細については後述する。
【００３６】
録画動作指示部５６は、特定の時間帯が到来したら、割り当て決定部５５により決定された割り当てである割り当てテーブル６２を参照して、録画動作を行うべきチャンネルをチューナ２ａ、２ｂ、…２ｎ及びトランスコーダ７ａ、７ｂ、…７ｎに割り当て、割り当てたチューナ２ａ、２ｂ、…２ｎを用いて受信部５１に録画動作を行わせる。すなわち、録画動作指示部５６は、割り当て決定部５５が決定したチャンネルとチューナ２ａ、２ｂ、…２ｎとの割り当てに基づき、特定の時間帯においてチャンネルを受信させるべき個々のチューナ２ａ、２ｂ、…２ｎに対して、当該チャンネルの放送波を選択的に受信させるように指示、制御する。そして、チャンネルの放送波を受信している状態のチューナ２ａ、２ｂ、…２ｎから出力される、所定のチャンネルの受信信号を含んだＴＳに、トランスコーダ７ａ、７ｂ、…７ｎによるトランスコード動作を含めて受信部５１に所定の信号処理を行わせることで、割り当てられたチャンネルの映像信号、音声信号及びデータ信号を受信部５１から出力させ、この映像信号、音声信号及びデータ信号を記憶部５２に番組単位で格納させる。この際、一部のチャンネルの映像信号、音声信号及びデータ信号は出力部５３に出力され、表示・再生されてもよい。
【００３７】
電源供給制御部５７は、商用電源１０３から供給される電源電力に基づいて、記憶部５２に格納された割り当てテーブル６２を参照し、割り当て決定部５５によりチャンネルが割り当てられたチューナ２ａ、２ｂ、…２ｎに電源供給し、割り当て決定部５５によりチャンネルが割り当てられなかったチューナ２ａ、２ｂ、…２ｎに対して電源供給を停止する。また、割り当て決定部５５によりチャンネルが割り当てられたチューナ２ａ、２ｂ、…２ｎに対応するトランスコーダ７ａ、７ｂ、…７ｎに対して電源供給し、割り当て決定部５５によりチャンネルが割り当てられなかったチューナ２ａ、２ｂ、…２ｎに対応するトランスコーダ７ａ、７ｂ、…７ｎに対して電源供給を停止する。ここに、「チューナ２に対応するトランスコーダ７」とは、チューナ２ａ、２ｂ、…２ｎが出力する所定のチャンネルの受信信号を含めたＴＳに対するトランスコード処理を行っているトランスコーダ７ａ、７ｂ、…７ｎを意味する。
【００３８】
選択画面表示制御部５８は、チャンネル選定部５４により選定されたチャンネルを特定の時間帯と関連づけて表示するための選択画面を表示するためのデータを生成して出力する。次いで、選択画面表示制御部５８により出力された選択画面を参照して、ユーザがリモートコントローラ１０４、操作部１６等の入力部６０を操作してチャンネル選定の修正入力を指示すると、選択画面入力部５９は、入力部６０からのチャンネル選定の修正入力を受け入れる。そして、チャンネル選定部５４は、選択画面入力部５９により受け入れられたチャンネル選定の修正入力に基づいて、記憶部５２に格納された録画予約テーブル６１を修正し、割り当て決定部５５は、修正された録画予約テーブル６１に基づいて、チャンネル選定部５４により選定されたチャンネルとチューナとの割り当てを修正し、その修正結果を割り当てテーブル６２に反映する。選択画面表示制御部５８、選択画面入力部５９による選択画面出力及びチャンネル選定の修正入力受け入れ動作の詳細については後述する。
【００３９】
以上の機能構成において、受信部５１は主にチューナ２、ＴＳ処理部３、信号処理部４、デコード処理部５、出力処理部６及びトランスコーダ７により構成され、記憶部５２は主にＨＤＤ８、ＲＡＭ１３及び不揮発性メモリ１４により構成される。
【００４０】
（一実施形態の動作）
次に、図３〜図５を参照して、本実施形態の録画装置Ｒの動作の概略について説明する。なお、以下の説明において、録画装置Ｒは東京地区に配置されているものとし、録画装置Ｒにはチューナ２ａ、２ｂ、…２ｎ及びトランスコーダ７ａ、７ｂ、…７ｎはそれぞれ８個（つまりチューナ２ａ、２ｂ、…２ｈ及びトランスコーダ７ａ、７ｂ、…７ｈ）設けられているものとする。
【００４１】
図３は、本実施形態の録画装置Ｒによる、特定の時間帯における録画予約情報の生成手法の一例を説明するための図である。まず、ユーザは、録画装置Ｒのリモートコントローラ１０４等を用いて、ユーザが視聴を希望する出演者、ジャンル、キーワード等を事前に設定する。図３に示す例では、ユーザはジャンルとして「ニュース」、キーワードとして出演者の一例である「○○××子」を設定している。また、録画装置Ｒの制御部１０は、放送局から送信される地上デジタルテレビ放送波等から受信部５１が抽出した、この地上デジタルテレビ放送波等に含まれるＥＰＧ情報を一時的に記憶部５２に格納する。このＥＰＧ情報には、図３に示すように各番組の時間帯、ジャンル及び番組詳細情報が含まれる。この番組詳細情報に含まれる情報は放送事業者に委ねられているが、出演者、番組説明等が通常含まれている。そして、録画装置Ｒの制御部１０は、ユーザが設定したジャンル、キーワード等とＥＰＧ情報とに基づき、特定の時間帯における録画予約情報を生成する。図３に示す例では、ユーザが設定したジャンル「ニュース」に対応してニュース番組が、ユーザが設定した出演者に関するキーワード「○○××子」に対応してこの「○○××子」が出演しているとの情報が含まれたドラマが録画予約情報として生成される。この録画予約情報は、記憶部５２の録画予約テーブル６１に格納される。
【００４２】
図４は、本実施形態の録画装置Ｒのチャンネル選定部５４及び割り当て決定部５５による、特定の時間帯におけるチャンネルとチューナ２ａ、２ｂ、…２ｈとの割り当ての決定及び電源供給制御部５７による電源供給制御の手順を説明するための図である。
【００４３】
ユーザが事前に設定した情報である録画予約情報である録画予約テーブル６１は、例えば図６に示すようなものであるとする。図６において、録画予約テーブル６１は、番組の時間帯を示す時間帯領域６１ａと番組のチャンネルを示すチャンネル領域６１ｂとを備える。図６において、１９：００〜２０：００の時間帯においては、ユーザが入力部６０を介して指示した録画予約操作入力は、「ＮＨＫ−Ｇ」「ＮＨＫ−Ｅ」「日本テレビ」「ＴＢＳ」「フジテレビ」「テレビ朝日」の計６局のチャンネルの番組の録画予約操作入力である。チャンネル選定部５４は、記憶部５２内の録画予約テーブル６１を参照し、１９：００〜２０：００の時間帯において録画予約をすべきチャンネルをこれら６つのチャンネルである旨選定する。
【００４４】
次いで、割り当て決定部５５は、チャンネル選定部５４により選定されたこれら６つのチャンネルを、８個設けられたチューナ２ａ、２ｂ、…２ｈに割り当てる旨決定し、その割り当て結果を記憶部５２内の割り当てテーブル６２内に格納する。図４に示す例では、チャンネル「ＮＨＫ−Ｇ」をチューナ１に、チャンネル「ＮＨＫ−Ｅ」をチューナ２に、とチャンネルを順にチューナ２ａ、２ｂ、…２ｈに割り当てている。
【００４５】
１９：００〜２０：００の時間帯においては、ユーザは計６つのチャンネルについて録画予約操作入力をしているので、８個のチューナ２ａ、２ｂ、…２ｈ及びトランスコーダ７ａ、７ｂ、…７ｈのうち、図４に示すようにチューナ７、チューナ８（従って図示はしないがトランスコーダ７、トランスコーダ８）にチャンネルが割り当てられない。そこで、電源供給制御部５７は、これらチューナ７、チューナ８及びトランスコーダ７、トランスコーダ８に対する電源供給を停止し、それ以外のチューナ１〜チューナ６及びトランスコーダ１〜トランスコーダ６への電源供給は継続する。
【００４６】
また、２０：００〜２１：００の時間帯における録画予約情報は、図４に示すように５つのチャンネルの番組の録画予約情報であったとする。チャンネル選定部５４は、かかる録画予約情報に基づき、２０：００〜２１：００の時間帯において録画予約をすべきチャンネルをこれら５つのチャンネルである旨選定する。
【００４７】
次いで、割り当て決定部５５は、チャンネル選定部５４により選定されたこれら５つのチャンネルを、８個設けられたチューナ２ａ、２ｂ、…２ｈに割り当てる旨決定し、その割り当て結果を記憶部５２内の割り当てテーブル６２内に格納する。この時、図４に示すように、チャンネルとチューナ２ａ、２ｂ、…２ｈとの割り当ての関係は固定的ではなく、例えば、「ＴＢＳ」「テレビ朝日」については、１９：００〜２０：００の時間帯でも２０：００〜２１：００の時間帯でもユーザによる録画予約操作入力がされているが、時間帯の遷移により割り当てられているチューナ２ａ、２ｂ、…２ｎは異なっている。これは、例えば時間帯を跨いで番組が継続しているチャンネル（図５に示すように「日本テレビ」がそうである）については、番組が継続している状態でチャンネルとチューナ２ａ、２ｂ、…２ｎとの割り当てを変更してしまうと、一時的にではあっても番組データが途切れてしまう可能性があるので、このような場合はチャンネルとチューナ３（及びトランスコーダ３）との割り当て関係を変更しない。
【００４８】
２０：００〜２１：００の時間帯においては、ユーザは計５つのチャンネルについて録画予約操作入力をしているので、図４に示すようにチューナ６（従って図示はしないがトランスコーダ６）へのチャンネル割り当てが解除される。そこで、電源供給制御部５７は、チューナ７、チューナ８及びトランスコーダ７、トランスコーダ８に対する電源供給は引き続き停止し、チューナ６及びトランスコーダ６への電源供給を停止する一方、それ以外のチューナ１〜チューナ５及びトランスコーダ１〜トランスコーダ５への電源供給は継続する。
【００４９】
図７に、１９：００〜２０：００及び２０：００〜２１：００の時間帯における割り当てテーブル６２の詳細の一例を示す。この割り当てテーブル６２は、時間帯を示す時間帯領域６２ａと、チューナ２の番号を示すチューナ領域６２ｃと、各々の番号のチューナ２に割り当てられたチャンネルを示すチャンネル領域６２ｂとを備える。チャンネル領域６２ｂにおいて、割り当て決定部５５によりチャンネルが割り当てられていない箇所は「未使用」と記載されている。
【００５０】
次に、図５は、本実施形態の録画装置Ｒの選択画面表示制御部５８及び選択画面入力部５９による、選択画面表示及びチャンネル選定の修正入力の手順を説明するための図である。
【００５１】
特定の時間帯、図５に示す例では１９：００〜２１：００の時間帯におけるチャンネル選定結果を示す選択画面８０が、図５に示すように出力部５３に表示される。この選択画面において、チャンネルが選定されている部分は、図５において白抜きで表示され、チャンネルが選定されていない部分は、図５においてハッチングで表示されている。
【００５２】
上述のように、ユーザが設定した単語、フレーズ等により録画装置Ｒが自動的に録画予約情報を生成する場合、実際にはユーザの嗜好には完全に合致しない番組が録画予約情報に含まれている可能性がある。そこで、ユーザが入力部６０を操作し、チャンネル選定の修正入力、例えば、番組単位での録画予約／録画予約消去を指示すると、選択画面入力部５９は、入力部６０からのチャンネル選定の修正入力を受け入れる。そして、チャンネル選定部５４は、選択画面入力部５９により受け入れられたチャンネル選定の修正入力に基づいて、記憶部５２に格納された録画予約テーブル６１を修正し、割り当て決定部５５は、修正された録画予約テーブル６１に基づいて、チャンネル選定部５４により選定されたチャンネルとチューナとの割り当てを修正し、その修正結果を割り当てテーブル６２に反映する。具体的には、図６に示すような録画予約テーブル６１のチャンネル領域６２ｂを修正する。あるいは、チャンネル単位での録画予約／録画予約消去を指示してもよい。
【００５３】
次に、図８及び図９のフローチャートを参照して、本実施形態の録画装置Ｒの動作について説明する。
図８は、録画装置Ｒの制御部１０によるチャンネル割当動作を説明するためのフローチャートである。図８に示すフローチャートは、チャンネル割当動作を行うべき特定の時間帯が到来する前、好ましくは５分程度前に起動される。まず、ステップＳ１において、制御部１０のチャンネル選定部５４が、記憶部５２内の録画予約テーブル６１を参照して、当該時間帯において録画動作を行うべきチャンネルを選定する。次に、ステップＳ２において、割り当て決定部５５が、チューナ２を割り当てるチャンネルの初期設定をする。すなわち、割り当て決定部５５は、記憶部５２内の割り当てテーブル６２を参照して、チューナ２を割り当てるべき最初のチャンネル（チャンネル番号が一番若いチャンネル）を選定する。
【００５４】
ステップＳ３では、割り当て決定部５５が割り当てテーブル６２を参照して、チューナ２を割り当てるべきチャンネルが既にチューナ２に割り当てられているかどうかを判定する。上述のように、時間帯を跨いで番組が継続しているチャンネルについては、番組が継続している状態でチャンネルとチューナ２との割り当てを変更してしまうと、一時的にではあっても番組データが途切れてしまう可能性があるので、このような場合はチャンネルとチューナ２との割り当て関係を変更しないことが好ましい。従って、時間帯を跨いで番組が継続しているかの判断をこのステップＳ３で行う。また、番組は継続しないが、同一のチャンネルが引き続き録画予約されている場合は、チャンネルに割り当てられたチューナ２を敢えて変更しないという判断もあり得る。
【００５５】
ステップＳ３において、チューナ２を割り当てるべきチャンネルが既にチューナ２に割り当てられている（ステップＳ３においてＹＥＳ）場合は、プログラムはステップＳ７に移行し、割り当てられていない（ステップＳ３においてＮＯ）場合は、プログラムはステップＳ４に移行する。ステップＳ４では、割り当て決定部５５が、チャンネルが割り当てられていないチューナ２が存在するか否かを判定する。そして、チャンネルが割り当てられていないチューナ２が存在する（ステップＳ４においてＹＥＳ）場合は、プログラムはステップＳ６に移行し、チャンネルが割り当てられていないチューナ２が存在しない（ステップＳ４においてＮＯ）場合は、プログラムはステップＳ５に移行する。
【００５６】
ステップＳ５では、割り当て決定部５５が録画予約テーブル６１及び割り当てテーブル６２を参照し、次回の録画開始までの時間が最も長いチャンネルに対するチューナ２の割り当てを解除する。これにより、ステップＳ４においてチャンネルが割り当てられていないチューナ２が存在しないと判定された（ステップＳ４においてＮＯ）場合において、チャンネルを割り当てられるチューナ２を生成する。次いで、ステップＳ６では、割り当て決定部５５が、当該時間帯において録画予約がされているチャンネルに対してチューナ２を割り当てる。
【００５７】
ステップＳ７では、割り当て決定部５５が、当該時間帯においてチューナ２を割り当てるべきチャンネルについて全てチューナ２を割り当てたか否かが判定され、全てチューナ２を割り当てた（ステップＳ７においてＹＥＳ）場合はステップＳ８に移行し、まだチューナ２を割り当てていないチャンネルが存在する（ステップＳ７においてＮＯ）場合はステップＳ９に移行する。
【００５８】
ステップＳ８では、電源供給制御部５７が割り当てテーブル６２を参照し、チャンネルが割り当てられているチューナ２及びこのチューナ２に対応するトランスコーダ７に対する電源供給を行うとともに、チャンネルが割り当てられていないチューナ２及びこのチューナ２に対応するトランスコーダ７に対する電源供給を停止する。一方、ステップＳ９では、割り当て決定部５５が、チューナ２を割り当てるチャンネルを次のチャンネルに設定する。すなわち、ステップＳ３〜ステップＳ７でチューナ２の割り当て検討を行ったチャンネルのチャンネル番号の次に若いチャンネル番号を有するチャンネルを、チューナ２を割り当てるべきチャンネルに選定する。その後、プログラムはステップＳ３に戻って上述の動作を行う。
【００５９】
次に、図９は、録画装置Ｒの制御部１０によるチャンネル割当解除動作を説明するためのフローチャートである。図９に示すフローチャートは、チャンネル割当動作を行うべき特定の時間帯終了時に起動される。まず、ステップＳ１０において、制御部１０の割り当て決定部５５が、当該時間帯においてチューナ２が割り当てられていたチャンネルの初期設定をする。
【００６０】
次に、ステップＳ１１において、割り当て決定部５５が録画予約テーブル６１を参照して、当該チャンネルの番組を次の時間帯においても引き続き録画するか、すなわち時間帯を跨いで番組が継続しており、この番組を録画するかどうかを判定する。そして、当該チャンネルの番組を次の時間帯においても引き続き録画する（ステップＳ１１においてＹＥＳ）場合は、プログラムはステップＳ１３に移行し、当該チャンネルの番組を次の時間帯において引き続き録画しない（ステップＳ１１においてＮＯ）場合は、プログラムはステップＳ１２に移行する。
【００６１】
ステップＳ１２では、割り当て決定部５５が当該チャンネルとチューナ２との割り当てを解除する。次いで、ステップＳ１３では、当該時間帯においてチューナ２が割り当てられていた全てのチャンネルについてステップＳ１１〜Ｓ１２に示す作業を行ったか否かが判定され、全てのチャンネルにおいて作業を行った（ステップＳ１３においてＹＥＳ）場合は図９に示す動作を終了し、まだステップＳ１１〜Ｓ１２に示す作業を行っていないチャンネルが存在する（ステップＳ１３においてＮＯ）場合はステップＳ１４に移行する。ステップＳ１４では、割り当て決定部５５が、ステップＳ１１〜Ｓ１２の作業を行うべきチャンネルを次のチャンネルに設定する。その後、プログラムはステップＳ１１に戻って上述の動作を行う。
【００６２】
以上説明したように、本実施形態の録画装置Ｒにおいては、割り当て決定部５５によりチャンネルが割り当てられたチューナ２及びこれに対応するトランスコーダ７には、電源供給制御部５７により電源供給がされる一方、割り当て決定部５５によりチャンネルが割り当てられなかったチューナ２及びこれに対応するトランスコーダ７には、電源供給制御部５７により電源供給が停止される。これにより、複数のチャンネルが同時録画可能な録画装置Ｒにおいて、チャンネルが割り当てられていない、すなわち録画動作を行う必要のないチューナ２及びトランスコーダ７に対する電源供給を停止することができ、効率的に省電力を図ることができる。
【００６３】
（変形例）
なお、本発明の録画装置は、その細部が上述した一実施形態に限定されず、種々の変形例が可能である。一例として、上述の一実施形態では、図４に示すように、チューナ２を番号順に並べてチャンネルが割り当てられないチューナ２を番号が小さい側に集中して割り当てていたが、例えば、その前の時間帯におけるチューナ２とチャンネルの割り当て関係を尊重し、番組予約がされていないチャンネルとチューナ２との割り当てのみを解除して、割り当てが解除されたチューナ２に対してチャンネルを割り当てるようにしてもよい。このような割り当ての手法によると、図４の例では、チューナ２にはチャンネル「テレビ東京」が割り当てられ、チューナ４にはチャンネル「ＴＢＳ」が割り当てられ、チューナ５にはチャンネルが何も割り当てられなくなり、チューナ６には引き続きチャンネル「テレビ朝日」が割り当てられることになる。このように、チャンネルが割り当てられたチューナ２が、チューナ２を番号順に並べた場合に連続的に存在する必要はない。
【００６４】
加えて、チューナ２及びトランスコーダ７に電源供給がされることにより、このチューナ２及びトランスコーダ７は発熱する。録画装置Ｒ内には、ファンなどの図略の冷却機構が設けられることがあり、この冷却機構とチューナ２等の配置位置関係によっては、個々のチューナ２ａ、…２ｎ等の冷却効率に差がでることがある。あるいは、録画装置Ｒ内のチューナ２等の配置位置によっても、個々のチューナ２ａ、…２ｎ等の冷却効率に差がでることがある。そこで、割り当て決定部５５は、冷却効率のよいチューナ２ａ、…２ｎ及びトランスコーダ７ａ、…７ｎに対して優先的にチャンネルを割り当ててもよい。
【００６５】
また、上述の一実施形態では、割り当て決定部５５によりチャンネルが割り当てられていないチューナ２及びこれに対応するトランスコーダ７に対して電源供給制御部が電源供給を停止していたが、少なくともチャンネルが割り当てられていないチューナ２に対して電源供給を停止すれば本発明の効果を奏することができ、トランスコーダ７についてはチャンネルの割り当ての如何にかかわらず電源供給を行ってもよい。
【００６６】
また、上述の一実施形態では、録画動作指示部５６は、特定の時間帯が到来したら、割り当て決定部５５により割り当てられたチューナ２ａ、２ｂ、…２ｎを用いて受信部５１に録画動作を行わせていた。しかし、その前の時間帯において放送波の受信動作、特に復調動作を行っていないチューナ２が受信動作を開始してＴＳを出力するまでには若干のタイムラグが生じることが多い。このため、録画動作指示部５６は、その前の時間帯においてチャンネルが割り当てられていないチューナ２に対しては、特定の時間帯が到来する直前、例えば１０〜３０秒前に、割り当て決定部５５により割り当てられたチューナ２を用いて受信部５１に録画動作を行わせてもよい。
【００６７】
さらに、割り当て決定部５５により決定されたチャンネルとチューナ２との割り当て結果によると、いずれかのＣＡＳカード１０５ａ、…１０５ｍに格納された契約情報が全く用いられないことがあり得る。そこで、電源供給制御部５７は、契約情報が全く用いられていないＣＡＳカード１０５に対応するカードホルダ１７の所定箇所のみ電源供給を停止してもよい。
【００６８】
さらに、上述の一実施形態では、録画動作を行わないチューナ２及びトランスコーダ７について電源供給を停止していたが、一実施形態の録画装置Ｒは地上デジタルテレビ放送波等を視聴するためにも用いることが可能であるので、使用者が地上デジタルテレビ放送波等を視聴する際に用いるチューナ２（この場合は基本的に地上デジタルテレビ放送波等を受信して視聴するのみであるので、視聴の際にはトランスコーダ７を動作させる必要はない）についても電源供給を行い、地上デジタルテレビ放送波等を受信して視聴し、あるいは録画動作を行わないチューナ２及びトランスコーダ７について電源供給を停止ししてもよい。具体的には、録画装置Ｒの録画動作中にユーザがリモートコントローラ１０４等を用いて所望のチャンネルの地上デジタルテレビ放送波等の受信を指示すると、ユーザが視聴を指示したチャンネルが、当該時間帯においてチャンネル選定部５４により選定されているチャンネルであれば、このチャンネルが割り当てられているチューナ２からの出力をＴＳ処理部３、信号処理部４、デコード処理部５及び出力処理部６を介して映像出力部１０１及び音声出力部１０２に出力し、ユーザが視聴を指示したチャンネルが、当該時間帯においてチャンネル選定部５４により選定されているチャンネルでないときは、割り当て決定部５５によりチャンネルが割り当てられていないチューナ２を起動し、このチューナ２からの出力をＴＳ処理部３、信号処理部４、デコード処理部５及び出力処理部６を介して映像出力部１０１及び音声出力部１０２に出力する。この時、ユーザがリモートコントローラ１０４等を用いて録画指示を行った場合は、制御部１０を介してＨＤＤ８に録画を行う。この際、録画時に圧縮率を設定する場合は、割り当て決定部５５によりチャンネルが割り当てられていないトランスコーダ７を起動して動作させる。さらに、ユーザがリモートコントローラ１０４等を用いて視聴するチャンネルの切替を行った場合は、切替先のチャンネルに対して上述の動作を行う。そして、ユーザがリモートコントローラ１０４等を用いて録画装置Ｒ全体のサスペンド動作を指示した場合は、その時点で録画動作を行っているチューナ２以外のチューナ２への電源供給を停止する。
【００６９】
そして、上述の一実施形態において、録画装置Ｒを動作させるプログラムはＲＯＭ１２等に格納されて提供されていたが、不図示の光学ディスクドライブ、ＵＳＢポート等を用いて、プログラムが格納されたＤＶＤ（Digital Versatile Disc）、ＵＳＢフラッシュメモリ装置等を接続し、このＤＶＤ等からプログラムを録画装置Ｒに読み込んで動作させてもよい。また、外部ネットワーク上の装置内にプログラムを格納しておき、通信Ｉ／Ｆ２０を介してこのプログラムを録画装置Ｒに読み込んで動作させてもよい。さらに、上述の各実施形態において、録画装置Ｒは複数のハードウェア要素により構成されていたが、これらハードウェア要素の一部の動作をＣＰＵ１１等がプログラムの動作により実現することも可能である。
【符号の説明】
【００７０】
Ｒ    録画装置
１    アンテナ
２（２ａ、…、２ｎ）  チューナ
３    ＴＳ処理部
４    信号処理部
５    デコード処理部
６    出力処理部
７（７ａ、…、７ｎ）  トランスコーダ
８    ＨＤＤ
１０    制御部
１１    ＣＰＵ
１２    ＲＯＭ
１３    ＲＡＭ
１４    不揮発性メモリ
１５    電源回路
１６    操作部
１７    カードＩ／Ｆ
１８    カードホルダ
１９    受光部
２０    通信Ｉ／Ｆ
２１    ＨＤＭＩ  Ｉ／Ｆ
５１    受信部
５２    記憶部
５３    出力部
５４    チャンネル選定部
５５    割り当て決定部
５６    録画動作指示部
５７    電源供給制御部
５８    選択画面表示制御部
５９    選択画面入力部
６０    入力部
６１    録画予約テーブル
６２    割り当てテーブル
８０    選択画面
１０１  映像出力部
１０２  音声出力部
１０３  商用電源
１０４  リモートコントローラ
１０５（１０５ａ、…、１０５ｍ）  ＣＡＳカード
【図１】
2014093687.tif 000003
【図２】
2014093687.tif 000004
【図３】
2014093687.tif 000005
【図４】
2014093687.tif 000006
【図５】
2014093687.tif 000007
【図６】
2014093687.tif 000008
【図７】
2014093687.tif 000009
【図８】
2014093687.tif 000010
【図９】
2014093687.tif 000011